(57)【特許請求の範囲】
【請求項１】
つけまつげを収容するつけまつげ保持器であって、
前記つけまつげの繊毛部が載置される底面と、前記底面から隆起する台と、を有する支持体と、
前記支持体の前記台に被せられる蓋体と、を備え、
前記支持体の前記台は、第１上面と、前記第１上面から前記底面まで広がり、前記つけまつげの基部に接する第１側面と、前記第１上面から凹んでいる第１凹部と、を含み、
平面視において、前記底面と前記第１凹部との間には前記第１上面が位置しており、
前記蓋体は、第２上面と、前記第２上面から凹み、前記支持体の前記台の前記第１凹部に挿入される第２凹部と、前記第２上面から下方へ広がり、前記支持体の前記台の前記第１側面との間で前記つけまつげの基部を挟む第２側面と、を含む、つけまつげ保持器。
【請求項２】
前記支持体の前記底面の法線方向に対する前記蓋体の前記第２側面の傾斜角度が、前記支持体の前記底面の法線方向に対する前記蓋体の前記第２凹部の第２壁面の傾斜角度よりも大きい、請求項１に記載のつけまつげ保持器。
【請求項３】
前記支持体の前記台の前記第１側面から前記第１凹部までの最短距離が１０ｍｍ以下である、請求項１又は２に記載のつけまつげ保持器。
【請求項４】
前記支持体の前記台の前記第１凹部の深さが、前記底面から前記第１上面までの前記台の高さの９/１０以下である、請求項１乃至３のいずれか一項に記載のつけまつげ保持器。
【請求項５】
前記支持体の前記台は、前記第１上面よりも上方へ突出している第１突起を含み、
前記蓋体は、前記第２上面よりも上方へ突出し、前記台の前記第１突起に被せられる第２突起を含む、請求項１乃至４のいずれか一項に記載のつけまつげ保持器。
【発明の詳細な説明】
【技術分野】
【０００１】
本発明は、つけまつげを収容するつけまつげ保持器に関する。
【背景技術】
【０００２】
つけまつげを湾曲させた状態で保管するつけまつげケースが知られている。例えば特許文献１は、凸状の曲面を有する壁面部につけまつげの基部を粘着材で固定した状態でつけまつげを保管するつけまつげケースを開示している。
【先行技術文献】
【特許文献】
【０００３】
【特許文献１】特開２０１１−１７７３９５号公報
【発明の概要】
【発明が解決しようとする課題】
【０００４】
つけまつげをケースから取り出すときに、粘着材の粘着力が強いと、つけまつげの一部が抜けたりつけまつげの基部が変形したりすることが考えられる。また、時間の経過とともに粘着材に変色が生じ、外観が悪くなることも考えられる。また、時間の経過とともに粘着材が固化し、つけまつげをケースから取り出し難くなることも考えられる。
【０００５】
本発明は、このような課題を効果的に解決し得るつけまつげ保持器を提供することを目的とする。
【課題を解決するための手段】
【０００６】
本発明は、つけまつげを収容するつけまつげ保持器であって、
前記つけまつげの繊毛部が載置される底面と、前記底面から隆起する台と、を有する支持体と、
前記支持体の前記台に被せられる蓋体と、を備え、
前記支持体の前記台は、第１上面と、前記第１上面から前記底面まで広がり、前記つけまつげの基部に接する第１側面と、前記第１上面から凹んでいる第１凹部と、を含み、
前記蓋体は、第２上面と、前記第２上面から凹み、前記支持体の前記台の前記第１凹部に挿入される第２凹部と、前記第２上面から下方へ広がり、前記支持体の前記台の前記第１側面との間で前記つけまつげの基部を挟む第２側面と、を含む、つけまつげ保持器である。
【０００７】
本発明によるつけまつげ保持器において、前記支持体の前記底面の法線方向に対する前記蓋体の前記第２側面の傾斜角度が、前記支持体の前記底面の法線方向に対する前記蓋体の前記第２凹部の第２壁面の傾斜角度よりも大きくてもよい。
【０００８】
本発明によるつけまつげ保持器において、前記支持体の前記台の前記第１側面から前記第１凹部までの最短距離が１０ｍｍ以下であってもよい。
【０００９】
本発明によるつけまつげ保持器において、前記支持体の前記台の前記第１凹部の深さが、前記台の高さの９/１０以下であってもよい。
【００１０】
本発明によるつけまつげ保持器において、前記支持体の前記台は、前記第１上面よりも上方へ突出している第１突起を含み、
前記蓋体は、前記第２上面よりも上方へ突出し、前記台の前記第１突起に被せられる第２突起を含んでいてもよい。
【００１１】
本発明は、つけまつげを収容するつけまつげ保持器であって、
前記つけまつげの繊毛部が載置される底面と、前記底面から隆起する台と、を有する支持体と、
前記支持体の前記台に被せられる蓋体と、を備え、
前記台は、第１上面と、前記第１上面から前記底面まで広がり、前記つけまつげの基部に接する第１側面と、前記第１上面よりも上方へ突出している第１突起と、を含み、
前記蓋体は、第２上面と、前記第２上面よりも上方へ突出し、前記台の前記第１突起に被せられる第２突起と、前記第２上面から下方へ広がり、前記支持体の前記台の前記第１側面との間で前記つけまつげの基部を挟む第２側面と、を含む、つけまつげ保持器である。
【００１２】
本発明によるつけまつげ保持器において、前記支持体の前記台の前記第１側面は、平面視において湾曲しており、
前記支持体の前記台の前記第１突起は、平面視において前記第１側面の一端の側から他端の側へ延びていてもよい。
【発明の効果】
【００１３】
本発明のつけまつげ保持器によれば、粘着材を用いることなく、つけまつげを湾曲させた状態で保管することができる。
【図面の簡単な説明】
【００１４】
【図１】支持体と蓋体とが分離された状態のつけまつげ保持器を示す斜視図である。
【図２】図１の支持体につけまつげを載置した状態を示す斜視図である。
【図３】つけまつげを収容した状態のつけまつげ保持器を示す平面図である。
【図４】図３のつけまつげ保持器をIV−IV方向から見た場合を示す断面図である。
【図５】支持体を示す平面図である。
【図６】図５の支持体をVI−VI方向から見た場合を示す断面図である。
【図７】蓋体を示す平面図である。
【図８】図７の蓋体をVIII−VIII方向から見た場合を示す断面図である。
【図９】つけまつげ保持器につけまつげを収容する方法の一例を説明する図である。
【図１０】つけまつげ保持器につけまつげを収容する方法の一例を説明する図である。
【図１１】つけまつげ保持器につけまつげを収容する方法の一例を説明する図である。
【図１２】つけまつげ保持器の一変形例を示す平面図である。
【図１３】図１２のつけまつげ保持器をXIII−XIII方向から見た場合を示す断面図である。
【図１４】つけまつげ保持器につけまつげを収容する方法の一例を説明する図である。
【図１５】つけまつげ保持器の一変形例を示す平面図である。
【図１６】図１５のつけまつげ保持器をXVI−XVI方向から見た場合を示す断面図である。
【図１７】つけまつげ保持器につけまつげを収容する方法の一例を説明する図である。
【図１８】蓋体の一変形例を示す断面図である。
【発明を実施するための形態】
【００１５】
以下、本発明の実施形態に係るつけまつげ保持器について、図面を参照しながら詳細に説明する。なお、以下に示す実施形態は、本発明の実施形態の一例であって、本発明はこれらの実施形態に限定して解釈されるものではない。また、本実施形態で参照する図面において、同一部分または同様な機能を有する部分には同一の符号または類似の符号を付し、その繰り返しの説明は省略する場合がある。また、図面の寸法比率は、説明の都合上、実際の比率とは異なる場合があり、また、構成の一部が図面から省略される場合がある。
【００１６】
図１は、つけまつげを収容するつけまつげ保持器１０を示す斜視図である。つけまつげ保持器１０は、支持体２０と、支持体２０の一部を覆う蓋体３０とを備える。図１においては、支持体２０と蓋体３０とが分離された状態を示している。
【００１７】
図２は、図１の支持体２０につけまつげ５０を載置した状態を示す斜視図である。図２において矢印で示すように、蓋体３０は、支持体２０と蓋体３０との間につけまつげ５０が位置するように支持体２０に組み合わせられる。
【００１８】
本実施の形態においては、２つのつけまつげ５０が１つの支持体２０に載置され、つけまつげ保持器１０が、つけまつげ５０に対応する数の蓋体３０を備える例について説明する。しかしながら、１つの支持体２０に載置されるつけまつげ５０の数が特に限られることはない。例えば、１つの支持体２０に載置されるつけまつげ５０の数は、１であってもよく、３以上であってもよい。また、蓋体３０は、２つ以上のつけまつげ５０を支持体２０との間で挟むよう構成されていてもよい。例えば、１つの蓋体３０が、複数の後述する第２凹部を含んでいてもよい。この場合、つけまつげ保持器１０が備える蓋体３０の数が、支持体２０に載置されるつけまつげ５０の数よりも少なくてもよい。
【００１９】
つけまつげ保持器１０に収容されるつけまつげ５０について説明する。図３は、つけまつげ５０を収容した状態のつけまつげ保持器１０を示す平面図である。図４は、図３のつけまつげ保持器１０をIV−IV方向から見た場合を示す断面図である。
【００２０】
図３に示すように、つけまつげ５０は、平面視において円弧状に湾曲した状態で線状に延びる基部５１と、基部５１に取り付けられた多数の繊毛部５２と、を有する。図４に示すように、繊毛部５２は、湾曲した状態でつけまつげ保持器１０に収容されていてもよい。
【００２１】
つけまつげ５０の基部５１には、つけまつげ保持器１０に収容される前の状態において、人のまぶたの形状に対応した湾曲が付与されていてもよい。例えば、つけまつげ５０に熱を加えた状態でつけまつげ５０の基部５１を湾曲させることにより、基部５１に湾曲形状を付与することができる。若しくは、つけまつげ５０の基部５１に圧力を加えることによって、基部５１に湾曲形状を付与することもできる。繊毛部５２も同様に、つけまつげ保持器１０に収容される前の状態において湾曲が付与されていてもよい。
【００２２】
次に、つけまつげ保持器１０の支持体２０及び蓋体３０について詳細に説明する。
【００２３】
図３及び図４に示すように、支持体２０は、つけまつげ５０の繊毛部５２が載置される底面２１と、底面２１から隆起する台２２と、を有する。図２に示すように、底面２１に載置されている状態のつけまつげ５０の基部５１は、台２２に接している。図３及び図４に示すように、蓋体３０は支持体２０の台２２に被せられている。
【００２４】
支持体２０及び蓋体３０は、例えば、合成樹脂を成形することによって作製される。合成樹脂は、透明なものであってもよく、着色されたものであってもよい。支持体２０又は蓋体３０を構成する合成樹脂が透明である場合、つけまつげ保持器１０に収容されている状態のつけまつげを消費者が視認することができる。
【００２５】
なお、本実施の形態においては、支持体２０と蓋体３０とが、分離可能な別個の部材である例を示しているが、これに限られることはなく、支持体２０と蓋体３０とが一体的な部材であってもよい。例えば、支持体２０と蓋体３０とは、ヒンジ部などによって接続されていてもよい。
【００２６】
図３及び図４に示すように、支持体２０の台２２及び蓋体３０は、平面視において、つけまつげ５０の基部５１に対応した湾曲した形状を有していてもよい。例えば、支持体２０の台２２は、平面視において湾曲した形状を部分的に有する第１上面２４と、第１上面２４の湾曲部分から底面２１まで広がり、平面視において湾曲した形状を有する第１側面２３と、を含んでいてもよい。図４に示すように、つけまつげ保持器１０に収容されている状態のつけまつげ５０の基部５１は、台２２の第１側面２３に接している。また、蓋体３０は、平面視において湾曲した形状を部分的に有する第２上面３１と、第２上面３１の湾曲部分から下方へ広がり、平面視において湾曲した形状を有する第２側面３２と、を含んでいてもよい。第２側面３２は、蓋体３０が台２２に被せられているときに台２２の第１側面２３に対向する。なお「下方」や後述する「上方」などの用語は、鉛直方向において支持体２０が蓋体３０の下に位置している状態を基準として各構成要素の位置を相対的に表したものに過ぎない。輸送時や使用時のつけまつげ保持器１０の姿勢などは、本明細書における名称や用語によっては限定されない。
【００２７】
図４に示すように、蓋体３０の第２側面３２は、支持体２０の台２２の第１側面２３との間でつけまつげ５０の基部５１を挟んでいる。これにより、つけまつげ保持器１０は、基部５１の湾曲状態を維持した状態でつけまつげ５０を収容することができる。
【００２８】
図４に示すように、つけまつげ５０の繊毛部５２の先端側の大部分は、支持体２０と蓋体３０との間に位置していなくてもよい。言い換えると、支持体２０及び蓋体３０は、つけまつげ５０の基部５１及び一部の繊毛部５２を挟むように構成されていてもよい。つけまつげ５０の繊毛部５２のうち支持体２０と蓋体３０との間に位置していない部分の長さの、繊毛部５２全体の長さに対する比率は、例えば０．５倍以上であってもよく、０．６倍以上であってもよく、０．７倍以上であってもよく、０．８倍以上であってもよい。これによって、つけまつげ５０がつけまつげ保持器１０に収容されている間に繊毛部５２が不自然に湾曲してしまうことを抑制することができる。
【００２９】
次に、蓋体３０を支持体２０に対して固定するための構成について説明する。
【００３０】
構成の一例として、蓋体３０の第２側面３２と支持体２０の第１側面２３とを嵌め合わせることが考えられる。この場合、平面視における第２側面３２の輪郭と第１側面２３の輪郭の差が小さいほど、第２側面３２が第１側面２３を弾性的に押す力が大きくなり、蓋体３０が支持体２０に対して強固に固定される。一方、第２側面３２が第１側面２３を弾性的に押す力が大きくなると、第２側面３２と第１側面２３との間に挟まれるつけまつげ５０が不自然に変形してしまうことが考えられる。また、平面視における第２側面３２の輪郭と第１側面２３の輪郭の差が小さいと、第２側面３２と第１側面２３との間につけまつげ５０を挟むように蓋体３０を支持体２０に被せる工程の作業性が低下してしまうことが考えられる。
【００３１】
このような課題を考慮し、本実施の形態においては、支持体２０の台２２の第１上面２４に第１凹部２５を形成し、蓋体３０に第２凹部３３を形成し、第２凹部３３を第１凹部２５に嵌合させることによって蓋体３０を支持体２０に対して固定することを提案する。これにより、第２側面３２と第１側面２３との間に一定の間隔を設けながら、蓋体３０を支持体２０に対して強固に固定することが可能になる。以下、支持体２０の第１凹部２５及び蓋体３０の第２凹部３３について詳細に説明する。
【００３２】
まず、支持体２０の第１凹部２５について説明する。図５は、支持体２０を示す平面図であり、図６は、図５の支持体２０をVI−VI方向から見た場合を示す断面図である。
【００３３】
図５及び図６に示すように、第１凹部２５は、台２２の第１上面２４から底面２１の側に向かって凹むように第１上面２４に設けられている。第１凹部２５は、第１側面２３と対向するように広がる第１壁面２６を含んでいてもよい。平面視における、第１側面２３から第１凹部２５の第１壁面２６までの最短距離Ｗ１は、例えば１０ｍｍ以下であり、７ｍｍ以下であってもよく、５ｍｍ以下であってもよく、３ｍｍ以下であってもよく、２ｍｍ以下であってもよい。
【００３４】
図６に示すように、台２２の第１凹部２５の深さＨ２は、台２２の高さＨ１よりも小さくてもよい。第１凹部２５の深さＨ２は、台２２の高さＨ１の例えば９／１０以下であり、７／１０以下であってもよく、５／１０以下であってもよい。
【００３５】
図６において、符号θ１は、底面２１の法線方向Ｈに対する第１側面２３の傾斜角度を表し、符号θ２は、底面２１の法線方向Ｈに対する第１凹部２５の第１壁面２６の傾斜角度を表す。傾斜角度θ１，θ２はそれぞれ、例えば０°以上４５°以下である。図６に示すように、第１側面２３の傾斜角度θ１は第１壁面２６の傾斜角度θ２よりも大きくてもよい。
【００３６】
図５及び図６に示すように、台２２は、第１上面２４よりも上方へ突出している第１突起２７を含んでいてもよい。第１突起２７の高さＨ３は、第１凹部２５の深さＨ２よりも大きくてもよい。第１突起２７の高さＨ３は、第１凹部２５の深さＨ２の例えば１．１倍以上であり、１．２倍以上であってもよく、１．５倍以上であってもよく、１．８倍以上であってもよい。
【００３７】
図５に示すように、第１突起２７は、平面視において湾曲している第１側面２３の一端２３１の側から他端２３２の側へ延びていてもよい。図５に示す例において、第１突起２７は、第１側面２３の一端２３１から他端２３２まで直線状に延びている。
【００３８】
支持体２０は、プレス成形などのシート成形法によって作製され得る。例えば、支持体２０は、シートの第１ベース面２０Ａを型によって挟圧した状態でシートを型によって押し込むことによって作製され得る。
【００３９】
次に、蓋体３０の第２凹部３３について説明する。図７は、蓋体３０を示す平面図であり、図８は、図７の蓋体３０をVIII−VIII方向から見た場合を示す断面図である。
【００４０】
図７及び図８に示すように、第２凹部３３は、第２上面３１から下方に凹むように第２上面３１に設けられている。第２凹部３３は、第２側面３２と対向するように広がる第２壁面３４を含んでいてもよい。平面視における、第２側面３２から第２凹部３３の第２壁面３４までの最短距離Ｗ２は、例えば１０ｍｍ以下であり、７ｍｍ以下であってもよく、５ｍｍ以下であってもよく、３ｍｍ以下であってもよく、２ｍｍ以下であってもよい。第２側面３２から第２凹部３３の第２壁面３４までの最短距離Ｗ２は、第１側面２３から第１凹部２５の第１壁面２６までの最短距離Ｗ１よりも大きくてもよい。
【００４１】
図８において、符号θ３は、支持体２０の底面２１の法線方向Ｈに対する蓋体３０の第２側面３２の傾斜角度を表し、符号θ４は、支持体２０の底面２１の法線方向Ｈに対する蓋体３０の第２凹部３３の第２壁面３４の傾斜角度を表す。傾斜角度θ３，θ４はそれぞれ、例えば０°以上４５°以下である。図８に示すように、第２側面３２の傾斜角度θ３は第２壁面３４の傾斜角度θ４よりも大きくてもよい。また、蓋体３０の第２側面３２の傾斜角度θ３は、支持体２０の台２２の第１側面２３の傾斜角度θ１よりも大きくてもよい。これによって、蓋体３０の第２側面３２がつけまつげ５０を支持体２０の第１側面２３に向けて押す力が過剰に大きくなることを抑制することができる。
【００４２】
図７及び図８に示すように、蓋体３０は、第２上面３１よりも上方へ突出している第２突起３５を含んでいてもよい。図３及び図４に示すように、蓋体３０が支持体２０に組み合わせられている状態において、蓋体３０の第２突起３５は支持体２０の第１突起２７に被せられている。
【００４３】
第２突起３５の高さＨ５は、第２凹部３３の深さＨ４よりも大きくてもよい。第２突起３５の高さＨ５は、第２凹部３３の深さＨ４の例えば１．１倍以上であり、１．２倍以上であってもよく、１．５倍以上であってもよく、１．８倍以上であってもよい。
【００４４】
図７に示すように、第２突起３５は、平面視において湾曲している第２側面３２の一端３２１の側から他端３２２の側へ延びていてもよい。図７に示す例において、第２突起３５は、第２側面３２の一端３２１から他端３２２まで延びている。
【００４５】
蓋体３０は、支持体２０と同様に、プレス成形などのシート成形法によって作製され得る。例えば、蓋体３０は、第２側面３２の下端から水平に広がる図示しないベース面を型によって挟圧した状態でシートを型によって押し込むことによって作製され得る。
【００４６】
次に、このような構成からなる本実施の形態の作用および効果について説明する。ここでは、つけまつげ保持器１０につけまつげ５０を収容する方法の一例について説明する。
【００４７】
まず、支持体２０を準備する。また、人のまぶたの形状に対応した湾曲が付与されているつけまつげ５０を準備する。続いて、図９に示すように、支持体２０の底面２１につけまつげ５０の繊毛部５２を載置する。この際、つけまつげ５０の基部５１を支持体２０の台２２の第１側面２３に接触させる。
【００４８】
続いて、蓋体３０を支持体２０の台２２に被せる。例えば、図１０に示すように、蓋体３０の第２突起３５を支持体２０の第１突起２７に被せる。この際、図１０に示すように、蓋体３０の第２側面３２はつけまつげ５０に接触していなくてもよい。
【００４９】
続いて、蓋体３０の第２突起３５を支持体２０の第１突起２７に被せた状態で、蓋体３０を支持体２０に向けて押し込む。これによって、図１１に示すように、蓋体３０の第２凹部３３が支持体２０の第１凹部２５に被せられる。続いて、蓋体３０を支持体２０に向けて更に押し込む。これによって、図４に示すように、蓋体３０の第２凹部３３を支持体２０の第１凹部２５に挿入させて、第２凹部３３と第１突起２７とを嵌合させることができる。
【００５０】
蓋体３０の第２凹部３３が支持体２０の第１凹部２５に挿入されると、図４に示すように、つけまつげ５０の基部５１が蓋体３０の第２側面３２と支持体２０の台２２の第１側面２３との間に挟まれる。このようにして、つけまつげ５０の基部５１を支持体２０の台２２に固定することができる。
【００５１】
本実施の形態によれば、支持体２０の台２２の第１側面２３と蓋体３０の第２側面３２との間でつけまつげ５０の基部５１を挟むことにより、粘着材を用いることなく、つけまつげ５０の基部５１を湾曲させた状態で保管することができる。このため、使用者がつけまつげ５０をつけまつげ保持器１０から取り出すときに、つけまつげ５０の繊毛部５２の一部が抜けたり基部５１が変形したりすることを抑制することができる。
【００５２】
また、本実施の形態によれば、繊毛部５２の先端側の大部分が支持体２０と蓋体３０との間に位置していないことにより、繊毛部５２が不自然に湾曲してしまうことを抑制することができる。また、複数の繊毛部５２が立体的に広がった状態のつけまつげ５０を支持体２０に対して固定することもできる。なお「繊毛部５２が立体的に広がる」とは、図４に示すような、つけまつげ５０の基部５１が蓋体３０によって支持体２０の台２２に固定されている状態において、複数の繊毛部５２が支持体２０の厚み方向における様々な位置に存在していることを意味する。
【００５３】
また、本実施の形態によれば、第２凹部３３と第１凹部２５との間の嵌合を利用して蓋体３０を支持体２０に対して固定することができる。このため、第２側面３２と第１側面２３との間の嵌合を利用して蓋体３０を支持体２０に対して固定する場合に比べて、第２側面３２と第１側面２３との間の間隔を大きくすることができる。これにより、第２側面３２と第１側面２３との間に挟まれるつけまつげ５０に過剰な力が加えられることを抑制することができる。このため、つけまつげ５０が不自然に変形してしまうことを抑制することができる。
【００５４】
また、本実施の形態によれば、蓋体３０の第２凹部３３を支持体２０の第１凹部２５に被せることによって、支持体２０に対する蓋体３０の位置合わせを容易に行うことができる。また、蓋体３０の第２凹部３３の第２壁面３４から第２側面３２までの最短距離Ｗ２は小さく、例えば１０ｍｍ以下である。このため、蓋体３０の第２凹部３３を支持体２０の第１凹部２５に被せることによって、支持体２０の台２２の第１側面２３に対する蓋体３０の第２側面３２の位置合わせを精度良く行うことができる。これにより、支持体２０に蓋体３０を被せる途中で蓋体３０の第２側面３２がつけまつげ５０に触れることを抑制することができるので、つけまつげ５０の位置が支持体２０上でずれてしまうことを抑制することができる。このことにより、支持体２０に蓋体３０を被せる作業を効率良く実施することができる。
【００５５】
また、本実施の形態によれば、支持体２０の台２２が第１突起２７を有し、蓋体３０が第２突起３５を有しているので、蓋体３０の第２突起３５を支持体２０の第１突起２７に被せることによっても、支持体２０に対する蓋体３０の位置合わせを容易に行うことができる。このことも、支持体２０に蓋体３０を被せる作業の効率の向上に寄与し得る。
【００５６】
また、本実施の形態によれば、つけまつげ５０をつけまつげ保持器１０に収容する作業の効率が高いので、このような作業を、日本のような人件費の高い地域で行うことも可能になる。これにより、以下に説明する比較の形態に比べて、つけまつげ保持器１０に収容されているつけまつげ５０の品質を高めることができる。また、輸送コストを低減し易い。また、つけまつげ５０の転用もし易くなる。
【００５７】
比較の形態として、人件費の安い地域で粘着材を用いてつけまつげ５０をつけまつげ保持器１０に固定し、つけまつげ５０がつけまつげ保持器１０に収容された状態で日本などの消費地に輸入する場合を考える。この場合、輸入時のコンテナの温度や、粘着材を用いてつけまつげ５０をつけまつげ保持器１０に固定する際の気温のばらつきなどに起因して、消費地に到着した時のつけまつげ５０に付着している粘着材の粘着力や変色の程度にばらつきが生じ得る。また、支持体２０と蓋体３０とが組み合わされた状態で輸送されるので、つけまつげ保持器１０の体積が大きくなり、輸送コストが高くなる。また、つけまつげ５０が既につけまつげ保持器１０に固着されているので、つけまつげ５０の転用も不可能である。
【００５８】
これに対して、本実施の形態によれば、つけまつげ５０とつけまつげ保持器１０とを別個に人件費の安い地域で製造し、日本などの消費地に輸入し、消費地においてつけまつげ５０をつけまつげ保持器１０に収容することができる。このため、つけまつげ保持器１０に収容されているつけまつげ５０の品質にばらつきが生じにくい。また、支持体２０と蓋体３０とが組み合わされていない状態で輸送することができるので、支持体２０及び蓋体３０をそれぞれ効率的に積載することができ、輸送コストを低くすることができる。また、消費地でのニーズに応じてつけまつげ５０の形状や寸法を消費地において柔軟に調整することができる。また、１つのつけまつげ保持器１０に収容されるつけまつげ５０の数や組み合わせを消費地で調整することもできる。また、つけまつげ５０がつけまつげ保持器１０に固着されないので、一旦つけまつげ５０をつけまつげ保持器１０にした後、つけまつげ５０をその他のつけまつげ保持器１０に移し替えることもできる。
【００５９】
なお、上述した実施の形態に対して様々な変更を加えることが可能である。以下、必要に応じて図面を参照しながら、変形例について説明する。以下の説明および以下の説明で用いる図面では、上述した実施の形態と同様に構成され得る部分について、上述の実施の形態における対応する部分に対して用いた符号と同一の符号を用いることとし、重複する説明を省略する。また、上述した実施の形態において得られる作用効果が変形例においても得られることが明らかである場合、その説明を省略することもある。
【００６０】
（第１の変形例）
図１２は、第１の変形例に係るつけまつげ５０を収容した状態のつけまつげ保持器１０を示す平面図である。図１３は、図１２のつけまつげ保持器１０をXIII−XIII方向から見た場合を示す断面図である。
【００６１】
上述の実施の形態においては、支持体２０の台２２が、第１上面２４よりも上方へ突出している第１突起２７を有し、蓋体３０が、第２上面３１よりも上方へ突出している第２突起３５を有する例を示した。しかしながら、これに限られることはなく、図１２及び図１３に示すように、支持体２０の台２２が、第１突起２７を有していなくてもよい。また、蓋体３０が、第２突起３５を有していなくてもよい。
【００６２】
本変形例に係るつけまつげ保持器１０につけまつげ５０を収容する方法の一例について説明する。
【００６３】
上述の実施の形態の場合と同様に、支持体２０の底面２１につけまつげ５０の繊毛部５２を載置する。続いて、蓋体３０を支持体２０の台２２に被せる。例えば、図１４に示すように、蓋体３０の第２凹部３３を支持体２０の第１凹部２５に被せる。蓋体３０の第２凹部３３は、支持体２０の第１凹部２５の奥までは進入せず、図１４に示すように第１凹部２５の一部に引っ掛かる。続いて、蓋体３０を支持体２０に向けて押し込む。これによって、図１３に示すように、蓋体３０の第２凹部３３が支持体２０の第１凹部２５の奥にまで進入するので、第２凹部３３と第１凹部２５とを嵌合させることができる。
【００６４】
本変形例においても、蓋体３０の第２凹部３３を支持体２０の第１凹部２５に被せることによって、支持体２０に対する蓋体３０の位置合わせを容易に行うことができる。これにより、支持体２０に蓋体３０を被せる途中で蓋体３０の第２側面３２がつけまつげ５０に触れることを抑制することができるので、つけまつげ５０の位置がずれてしまうことを抑制することができる。このことにより、支持体２０に蓋体３０を被せる作業を効率良く実施することができる。
【００６５】
（第２の変形例）
図１５は、第２の変形例に係るつけまつげ５０を収容した状態のつけまつげ保持器１０を示す平面図である。図１６は、図１５のつけまつげ保持器１０をXVI−XVI方向から見た場合を示す断面図である。
【００６６】
上述の実施の形態においては、支持体２０の台２２が第１凹部２５を含み、蓋体３０が第２凹部３３を含む例を示した。しかしながら、これに限られることはなく、図１５及び図１６に示すように、支持体２０の台２２が、第１凹部２５を含んでいなくてもよい。また、蓋体３０が、第２凹部３３を含んでいなくてもよい。
【００６７】
本変形例に係るつけまつげ保持器１０につけまつげ５０を収容する方法の一例について説明する。
【００６８】
上述の実施の形態の場合と同様に、支持体２０の底面２１につけまつげ５０の繊毛部５２を載置する。続いて、蓋体３０を支持体２０の台２２に被せる。例えば、図１７に示すように、蓋体３０の第２突起３５を支持体２０の第１突起２７に被せる。支持体２０の第１突起２７は、蓋体３０の第２突起３５の奥までは進入せず、図１７に示すように第２突起３５が第１突起２７の一部に引っ掛かる。続いて、蓋体３０を支持体２０に向けて押し込む。これによって、図１６に示すように、支持体２０の第１突起２７が蓋体３０の第２突起３５の奥にまで進入するので、第１突起２７と第２突起３５とを嵌合させることができる。
【００６９】
本変形例においても、蓋体３０の第２突起３５を支持体２０の第１突起２７に被せることによって、支持体２０に対する蓋体３０の位置合わせを容易に行うことができる。これにより、支持体２０に蓋体３０を被せる途中で蓋体３０の第２側面３２がつけまつげ５０に触れることを抑制することができるので、つけまつげ５０の位置がずれてしまうことを抑制することができる。このことにより、支持体２０に蓋体３０を被せる作業を効率良く実施することができる。
【００７０】
また、第１突起２７と第２突起３５との間の嵌合を利用して蓋体３０を支持体２０に対して固定することができる。このため、第２側面３２と第１側面２３との間の嵌合を利用して蓋体３０を支持体２０に対して固定する場合に比べて、第２側面３２と第１側面２３との間の間隔を大きくすることができる。これにより、第２側面３２と第１側面２３との間に挟まれるつけまつげ５０に過剰な力が加えられることを抑制することができる。このため、つけまつげ５０が不自然に変形してしまうことを抑制することができる。
【００７１】
（第３の変形例）
上述の実施の形態及び変形例においては、支持体２０の台２２の第１凹部２５及び蓋体３０の第２凹部３３が平面視において半月の形状を有する例を示した。しかしながら、台２２の第１凹部２５と蓋体３０の第２凹部３３とが嵌合することによって蓋体３０を支持体２０に固定することができる限りにおいて、第１凹部２５及び第２凹部３３の形状や配置は任意である。例えば、支持体２０の台２２の第１凹部２５及び蓋体３０の第２凹部３３は、平面視において、四角形、星形などの形状を有していてもよい。
【００７２】
（第４の変形例）
上述の実施の形態及び変形例においては、支持体２０の第１突起２７が、平面視において第１側面２３の一端２３１から他端２３２まで直線状に延びる例を示した。しかしながら、支持体２０の第１突起２７と蓋体３０の第２突起３５とが嵌合することによって蓋体３０を支持体２０に固定することができる限りにおいて、第１凹部２５及び第２凹部３３の形状や配置は任意である。例えば、支持体２０の第１突起２７は、平面視において、半月状の台２２の中央に配置されていてもよい。
【００７３】
（第５の変形例）
図１８に示すように、蓋体３０の第２側面３２の先端側の一部分は、外側に広がるように湾曲していてもよい。例えば、鉛直方向における第２側面３２の寸法の１／４〜１／２に相当する、第２側面３２の先端側の部分が、外側に広がるように湾曲していてもよい。この場合、支持体２０の第１側面２３と蓋体３０の第２側面３２との間の間隔が、第２側面３２の先端側に向かうにつれて大きくなる。これにより、複数の繊毛部５２が立体的に広がった状態のつけまつげ５０を保持し易くなる。
【００７４】
なお、上述した実施の形態に対するいくつかの変形例を説明してきたが、当然に、複数の変形例を適宜組み合わせて適用することも可能である。
【符号の説明】
【００７５】
１０  つけまつげ保持器
２０  支持体
２０Ａ  第１ベース面
２１  底面
２２  台
２３  第１側面
２４  第１上面
２５  第１凹部
２６  第１壁面
２７  第１突起
３０  蓋体
３１  第２上面
３２  第２側面
３３  第２凹部
３４  第２壁面
３５  第２突起
５０  つけまつげ
５１  基部
５２  繊毛部
【要約】
【課題】粘着材を用いることなく、つけまつげを湾曲させた状態で保管することができるつけまつげ保持器を提供する。
【解決手段】つけまつげ保持器は、つけまつげの繊毛部が載置される底面と、底面から隆起する台と、を有する支持体と、支持体の台に被せられる蓋体と、を備える。台は、第１上面と、第１上面から底面まで広がり、つけまつげの基部に接する第１側面と、第１上面から凹んでいる第１凹部と、を含む。蓋体は、第２上面と、第２上面から凹み、支持体の台の第１凹部に挿入される第２凹部と、第２上面から下方へ広がり、支持体の台の第１側面との間でつけまつげの基部を挟む第２側面と、を含む。
【選択図】図１【図１】
0006683966.tif 000002
【図２】
0006683966.tif 000003
【図３】
0006683966.tif 000004
【図４】
0006683966.tif 000005
【図５】
0006683966.tif 000006
【図６】
0006683966.tif 000007
【図７】
0006683966.tif 000008
【図８】
0006683966.tif 000009
【図９】
0006683966.tif 000010
【図１０】
0006683966.tif 000011
【図１１】
0006683966.tif 000012
【図１２】
0006683966.tif 000013
【図１３】
0006683966.tif 000014
【図１４】
0006683966.tif 000015
【図１５】
0006683966.tif 000016
【図１６】
0006683966.tif 000017
【図１７】
0006683966.tif 000018
【図１８】
0006683966.tif 000019